(57)【要約】      （修正有）【課題】ＡＣ電源プラグに複数のＵＳＢポートを内蔵し、ＵＳＢ接続の製品に対して充電を行うことができるセルフパワーＵＳＢ充電ハブを提供する。【解決手段】印刷回路板はＵＳＢ電源モジュール、ＵＳＢハブモジュール、交流電源アダプターモジュールを備え、伝送ポート４１、４２はハブモジュール及びＵＳＢ電源モジュールに連接し、対応する開口３５、３６に向かい接続し、交流電源プラグは交流電源アダプターモジュールに電気的に連接して構成する。これにより、伝送ポート４１、４２がホスト（Ｈｏｓｔ）エンドに接続すると、ＵＳＢハブ機能及びＵＳＢ充電機能を備え、単独で交流電源１１に挿入して接続すれば、外付け製品に対して正常な充電を行うことができ、しかも内蔵式伝送ポートを採用するため、既存の内蔵式接続線製品に置換でき、接続線接続の選択の幅を広げることができ、使用上の利便性を高めることができる。【選択図】図２
0003176968.tif 000002
【実用新案登録請求の範囲】
【請求項１】
殻体、印刷回路板、第一伝送ポート、複数の第二伝送ポート、交流電源プラグを備え、
前記殻体内部には、収容設置空間を備え、外部には、収納空間を備え、表面には、第一開口、複数の第二開口を開設し、
前記印刷回路板は、前記殻体の収容設置空間内に、固定して設置し、USBデータ伝送モジュール、USB電源伝送モジュール、交流電源アダプターモジュールを備え、
前記第一伝送ポートは、前記収容設置空間内に位置し、前記印刷回路板に設置し、前記USBデータ伝送モジュールと前記USB電源伝送モジュールと電気的に連接し、しかも対応して、前記第一開口位置へと向かい、
前記複数の第二伝送ポートは、前記収容設置空間内に位置し、前記印刷回路板に設置し、前記USBデータ伝送モジュールと前記USB電源伝送モジュールと電気的に連接し、しかも対応して、前記第二開口位置へと向かい、
前記交流電源プラグは、前記収納空間に可動状に設置し、前記印刷回路板と接続し、前記交流電源アダプターモジュールに電気的に連接することを特徴とするUSB充電ハブ。
【請求項２】
前記第一伝送ポートが接続しておらず、前記交流電源プラグが、単独で交流電源に接続すると、前記第二伝送ポートは、前記USB電源伝送モジュールに対応して、充電機能を達成することを特徴とする請求項１に記載のUSB充電ハブ。
【請求項３】
前記収納空間は、垂直面、平行面を備え、前記交流電源プラグのピンと位置限定手段を形成し、
前記交流電源プラグのピンは位置を限定された状態で、前記平行面の第一収納端、或いは前記垂直面の第二使用端へと方向転換することを特徴とする請求項１に記載のUSB充電ハブ。
【請求項４】
前記収納空間は、両側へと開放性凹槽を形成し、
前記交流電源プラグのピンが前記第一収納端にある時には、一部が前記開放性凹槽に露出することを特徴とする請求項１に記載のUSB充電ハブ。
【請求項５】
前記USB伝送ポートは、USB、Mini USB、Micro USBの内の少なくとも１種のコネクタ規格であることを特徴とする請求項１に記載のUSB充電ハブ。
【請求項６】
前記第一伝送ポートは、Micro USBコネクタで、
前記第二伝送ポートは、USBコネクタであることを特徴とする請求項５に記載のUSB充電ハブ。
【請求項７】
前記USB充電ハブはさらに、接続線を備え、
前記接続線の一端には、USB伝送プラグを設置し、前記第一伝送ポートと相互に接続し、反対端には、３Ｃ製品を接続するプラグを形成することを特徴とする請求項１に記載のUSB充電ハブ。
【請求項８】
前記印刷回路板にはさらに、少なくとも１個の発光装置を設置し、
前記発光装置は、USB充電ハブの作動状態を表示することを特徴とする請求項１に記載のUSB充電ハブ。
【考案の詳細な説明】
【技術分野】
【０００１】
本考案は壁面の電源コンセントに差し込むUSB充電ハブに関し、特にAC電源プラグに複数のUSBポートを内蔵し、ハブ(HUB)伝送機能及び充電機能を備え、同時に単独で壁面等の電源コンセントに接続し、USB接続の製品に対して充電を行うこともできるセルフパワーUSB充電ハブに関する。
【背景技術】
【０００２】
USB(Universal Serial Bus)は、1994年に発表された伝送規格である。プラグアンドプレイ(Plug & Play)の仕様を備えているため、複雑なプログラム操作なしで、装置を移動したり抜くことができ、しかも、伝送速度は他の伝送規格より速いため、使用上他の伝送規格より便利である。
【０００３】
そのため、今ではUSBは主流の伝送規格となっており、外付け式ハードディスク、プリンター、マウス、キーボードなど多くのコンピューターの周辺装置はほとんど、USBコネクタを用いてコンピューターとの接続を行っている。しかも、USBにより、給電、通信、ディスプレー表示、オーディオ入力、データ保存などの各種周辺設備のコネクタは統一され、大部分のコンピューター周辺設備は、USBコネクタを採用する、それらを接続するため、コンピューターホスト(デスクトップ型コンピューター、或いはノートブック型コンピューターなど)には、USB接続ポートを配置する。
【０００４】
現在市場では、多数の周辺設備を同時に挿入して接続することができるUSBハブが販売されている。当該製品本体には、USBプラグ及び数個のUSBポートを電気的に連接する。USBコネクタを、コンピューターホストのUSB接続ポートに挿入接続すれば、数個のUSBポートに電源を供給することができる。これにより、数個のUSBポートには、それぞれ数個の周辺設備を挿入して使用することができる。これにより、コンピューターホストのUSB接続ポートの設置個数が充分でないという問題を解決することができる。
【０００５】
近年、スマートフォン、MP3/4、タブレット型コンピューター、携帯型電源、カードリーダー、デジタルカメラなどバッテリーを使用して駆動するポータブルデバイスが増えている。このタイプのポータブルデバイスの使用時には、使用者は通常、いつでもどこでもデータの伝送が行え、同時にポータブルデバイスに充電操作を行えることを望む。
【０００６】
従来のUSBハブの目的は、各USB接続ポートに接続されたの他の装置が、ほぼ同時にコンピューターホストに対応してデータ伝送を行うことである。しかし個々の装置に単一の電源を提供して独立して作動することはできない。よって、作動を維持するために、コンピューターホスト内部のパワーサプライから電源の供給を受けなければならない。USBハブの接続ポートに大量の装置を接続した場合、USBハブはしばしば電圧不足が発生し、データ伝送、保存、或いは充電におけるトラブルを引き起こしてしまう。深刻な場合には、コンピューターホストの負荷が過大になり、コンピューターホストがフリーズしたり、USBハブの損壊を引き起こしてしまう。本考案は、従来のUSB充電ハブの上記した欠点に鑑みてなされたものである。
【考案の概要】
【考案が解決しようとする課題】
【０００７】
本考案が解決しようとする第一の課題は、USBハブ本体上に、ホストエンドのUSBデータ伝送線に対応して接続するUSBデータ伝送ポートを設計し、これによりUSB充電ハブのホストエンドは、電子製品が提供するUSBデータ伝送規格にそのまま対応して接続でき、他に充電電源エンドの充電電源コネクタを対応させ、ハブ機能と充電機能を達成し、USB充電ハブの適用性と利便性を拡大することができるUSB充電ハブを提供することである。
本考案が解決しようとする第二の課題は、USB伝送コネクタ規格は、さまざまな異なる規格のUSBコネクタから選択できるため、さまざまな異なるUSBプラグ規格の電子製品に接続して使用することができるUSB充電ハブを提供することである。
本考案が解決しようとする第三の課題は、他の３Ｃ製品に対してそのまま充電機能を執行することができるUSB充電ハブを提供することである。
【課題を解決するための手段】
【０００８】
上記課題を解決するため、本考案は下記のUSB充電ハブを提供する。
USB充電ハブは、壁面等の交流電源コンセントに挿入して接続し、殻体、印刷回路板、複数のUSB伝送ポート、交流電源プラグを備え、
該殻体は、内部に収容設置空間を、外部に収納空間を備え、該殻体表面には、第一開口、複数の第二開口を形成し、
該印刷回路板は、該殻体の収容設置空間内部に位置し、USBデータ伝送モジュール、USB電源伝送モジュール、交流電源アダプターモジュールを備え、
該複数のUSB伝送ポートは、第一伝送ポート、複数の第二伝送ポートを備え、該収容設置空間内に位置し、
該第一伝送コネクタは、該第一開口位置へと向かい、該印刷回路板に設置し、
該複数の第二伝送コネクタは、該第二開口位置へと向かい、該印刷回路板に設置し、該USBデータ伝送モジュール及び該USB電源伝送モジュールと電気的に連接し、
該交流電源プラグは、該殻体外部の収納空間に可動状に設置し、該印刷回路板と接続し、該交流電源アダプターモジュールに電気的に連接し、
該交流電源プラグのピンと該収納空間は、相互に動きをけん制し、該交流電源プラグのピンは、選択的に第一収納端、或いは第二使用端へと方向を転換し、
該USB伝送ポートは、USB、Mini USB、Micro USBの内の少なくとも１種のコネクタ規格で、
該第一伝送ポートは、Micro USBコネクタで、該第二伝送ポートは、USBコネクタで、
該USB充電ハブはさらに、接続線を備え、
該接続線の一端に、該第一伝送ポートに挿入して接続し、反対端は、３Ｃ製品と接続し、該第一伝送ポートが接続しておらず、該交流電源プラグが、単独で交流電源に接続すると、該第二伝送ポートは、該USB電源伝送モジュールに対応して、充電機能を可能にし、
該収納空間は、両側へと開放性凹槽を形成し、該交流電源プラグが該第一収納端にある時には、一部が該開放性凹槽に露出し、これによりUSB充電ハブの実用性と収納性を拡大し、
該殻体内部にはさらに、該開口に向かい排列する、少なくとも１個の発光装置を設置し、該発光装置は、該印刷回路板のUSB電源モジュールに電気的に連接し、
実施例では、２個の発光装置を設置し、１個はホスト(Host)が通電しているかどうかを表示し、１個は、外付けの交流電源が通電しているかどうかを表示し、こうして外部の電源コードが交流電源コンセントに接続すると、該発光装置は、電源が導通したことで発光し、使用者はUSB充電ハブが通電状態にあるか否かを確認でき、
本考案は、複数のUSBポートを内蔵するUSB充電ハブを設計し、該殻体内部には、半自動収納の交流電源プラグを設置し、簡単に収納可能な利便性を達成し、
該印刷回路板上には、USB電源モジュール、USBハブモジュール、交流電源アダプターモジュールを設計し、
USB充電ハブが交流電源プラグに接続し、外部の電源コードに連接すると、USB充電ハブに接続された３Ｃ製品は、USB直流電源を提供され、さらにUSBデータ伝送を行うことができる。
【考案の効果】
【０００９】
本考案のUSB充電ハブは、本体上に、ホストエンドの伝送線に対応して接続する伝送ポートを設計し、これによりUSB充電ハブのホストエンドは、電子製品が提供する伝送規格にそのまま対応して接続でき、他のUSB充電電源エンドの伝送ポートを対応させ、ハブ機能と充電機能を達成し、USB充電ハブの適用性と利便性を拡大することができ、USB伝送コネクタ規格は、さまざまな異なる規格のUSBコネクタから選択できるため、さまざまな異なるUSBプラグ規格の電子製品に接続して使用することができ、他の３Ｃ製品に対してそのまま充電機能を執行することができる。
【図面の簡単な説明】
【００１０】
【図１】本考案第一実施例の立体図である。
【図２】本考案を壁面の電源コンセントに挿入して接続する様子を示す模式図である。
【図３】図１に示すUSB充電ハブの分解図である。
【図４】本考案USB充電ハブの断面図である。
【図５】本考案の交流電源プラグを方向転換させた使用模式図である。
【図６】本考案において、コンピューターをホストエンドとし、多数の３Ｃ製品を接続する様子を示す模式図である。
【図７】本考案において、デジタルテレビをホストエンドとし、多数の３Ｃ製品を接続する様子を示す模式図である。
【考案を実施するための形態】
【００１１】
以下に図面を参照しながら本考案を実施するための最良の形態について詳細に説明する。
【実施例】
【００１２】
図１〜４に示すように、本考案第一実施例のUSB充電ハブは、壁１０上の交流電源コンセント１１に接続し、殻体３０、殻体３０に接続する交流電源プラグ２０を備える。図２に示すように、本考案USB充電ハブは、使用時に、交流電源プラグ２０上の交流電源プラグピン２１を、交流電源コンセント１１に挿入して接続する。図３に示すように、本実施例中では、殻体３０は、上殻体３１、下殻体３２が上下に接続して構成する。しかも、殻体３０内部には、収容設置空間３３を備える。上殻体３１外部には、収納空間３４を備える。収容設置空間３３中には、USB伝送ポートユニット４０、印刷回路板５０を設置する。収納空間３４には、交流電源プラグ２０を設置する。殻体３０表面には、第一開口３５、複数の第二開口３６を開設する。
【００１３】
交流電源プラグ２０は、収納空間３４に可動状に設置し、印刷回路板５０と接続し、交流電源アダプターモジュールに電気的に連接する。発光装置４３は、USB充電ハブの作動状態を表示する。発光装置４３は、印刷回路板５０に電気的に連接する。
【００１４】
本考案の印刷回路板５０上には、USBデータ伝送モジュール、USB電源伝送モジュール、交流電源アダプターモジュール(図示なし)を備える。交流電源アダプターモジュールと、交流電源プラグ２０は、相互に接続する。
【００１５】
本考案の実施例中において、USB伝送ポートユニット４０中には、第一伝送ポート４１、４個の第二伝送ポート４２を備える。第一伝送ポート４１は、Micro USBコネクタとし、ホスト(Host)エンドに接続するUSB伝送ポートとする。４個の第二伝送ポート４２は、USBコネクタとする。第一伝送ポート４１とUSBデータ伝送モジュールとUSB電源伝送モジュールは、電気的に連接し、対応して、第一開口３５位置へと向かう。４個の第二伝送ポート４２とUSBデータ伝送モジュールとUSB電源伝送モジュールは、電気的に連接し、対応して、第二開口３６位置へと向かう。第一伝送ポート４１がホスト(Host)エンドに接続し、第二伝送ポート４２が他の３Ｃ製品に接続すると、本考案は、同時データ伝送、及び充電機能を備える。第一伝送ポート４１がホスト(Host)エンドに接続していないなら、本考案は単独で交流電源に接続し、他の３Ｃ製品に対して充電を行う。
【００１６】
図５に示すように、収納空間３４は、内側へと、垂直面３４１、平行面３４２を形成し、交流電源プラグピン２１と動きを相互にけん制する。交流電源プラグピン２１は、収納空間３４の垂直面３４１へと、選択的に方向転換させ、使用状態を形成することができる。或いは、交流電源プラグピン２１は、収納空間の平行面３４２へと、選択的に方向転換させ、収納状態を形成することができる。収納空間３４は、両側へと開放性凹槽３４３を形成する。交流電源プラグピン２１は、平行面３４２に固定されると、一部は開放性凹槽３４３に露出する。こうして、使用者は簡単に、交流電源プラグピン２１を、開放性凹槽３４３から外へと出して使用することができる。使用完了後は、交流電源プラグピン２１を、開放性凹槽３４３へと戻し、収納することができる。
【００１７】
図６、７に示すように、本考案を、壁１０上の交流電源コンセント１１に挿入して接続すると、発光装置４３を発光させる。Micro USBである第一伝送ポート４１のホストエンドは、コンピューターホスト６０、或いはデジタルテレビ６１などに挿入して接続することができる。４個のUSB第二伝送ポート４２の伝送端、及び充電端は、プリンター６２、携帯電話端末６３、スキャナー６４、タブレットコンピューター６５、デジタルカメラ６６、ポータブルハードディスク６７、MP3/4/5、携帯型電源、カードリーダーなどの対応する装置に挿入して接続し、データ伝送と同時に充電を行うこともできる。こうして、USB充電ハブ全体の実用性を高めることができる。この他、USB充電ハブは、内蔵式伝送ポートを採用するため、既存の内蔵式接続線製品に置換することができ、接続線接続の選択の幅を拡大でき、使用上の利便性を高めることができる。
【符号の説明】
【００１８】
１０  壁
１１  交流電源コンセント
２０  交流電源プラグ
２１  交流電源プラグピン
３０  殻体
３１  上殻体
３２  下殻体
３３  収容設置空間
３４  収納空間
３４１  垂直面
３４２  平行面
３４３  開放性凹槽
３５  第一開口
３６  第二開口
４０  USB伝送ポートユニット
４１  第一伝送ポート
４２  第二伝送ポート
４３  発光装置
５０  印刷回路板
６０  コンピューターホスト
６１  デジタルテレビ
６２  プリンター
６３  携帯電話端末
６４  スキャナー
６５  タブレットコンピューター
６６  デジタルカメラ
６７  ポータブルハードディスク
【図１】
0003176968.tif 000003
【図２】
0003176968.tif 000004
【図３】
0003176968.tif 000005
【図４】
0003176968.tif 000006
【図５】
0003176968.tif 000007
【図６】
0003176968.tif 000008
【図７】
0003176968.tif 000009